(57)【要約】      （修正有）【課題】外科医のニーズと好みに適合させることができるように、幅広い設定とカスタマイズが可能な顕微鏡システムを提供する。【解決手段】顕微鏡システム１００が、手術用顕微鏡１０２と、少なくとも１つの予め規定された動作設定をそれぞれ定義している複数のカスタマイズプロファイルを格納するように構成されたメモリ１０６と、ユーザー識別子を検出するように構成されたユーザー識別ユニット１１０と、検出されたユーザー識別子に基づき前述の複数のカスタマイズプロファイルのうちの１つを選択し、選択されたカスタマイズプロファイルにより定義されている少なくとも１つの予め規定された動作設定に従って手術用顕微鏡を動作させるように構成されたプロセッサ１０４と、を有している。【選択図】図１
2020192324.tif 000002
【特許請求の範囲】
【請求項１】
顕微鏡システム（１００）であって、前記顕微鏡システム（１００）は、
手術用顕微鏡（１０２）と、
少なくとも１つの予め規定された動作設定（１３４）をそれぞれ定義している複数のカスタマイズプロファイルを格納するように構成されたメモリ（１０６）と、
ユーザー識別子を検出するように構成されたユーザー識別ユニット（１１０）と、
検出された前記ユーザー識別子に基づき前記複数のカスタマイズプロファイルのうちの１つを選択し、選択された前記カスタマイズプロファイルにより定義されている前記少なくとも１つの予め規定された動作設定（１３４）に従って前記手術用顕微鏡（１０２）を動作させるように構成されたプロセッサ（１０４）と、
を有している顕微鏡システム（１００）。
【請求項２】
前記プロセッサ（１０４）は、カスタマイズ情報を含むユーザー入力を促すことによって、前記複数のカスタマイズプロファイルのうちの少なくとも１つを作成するように構成されている、
請求項１記載の顕微鏡システム（１００）。
【請求項３】
前記プロセッサ（１０４）は、一連のクエリを提供するように構成されていて、各クエリにより、ユーザー入力が促される、
請求項１または２記載の顕微鏡システム（１００）。
【請求項４】
前記ユーザー識別ユニット（１１０）は、前記ユーザー識別子を検出するように構成された１つ以上のセンサ（１１４〜１２２，３２４〜３３０）を有している、
請求項１から３までのいずれか１項記載の顕微鏡システム（１００）。
【請求項５】
前記１つ以上のセンサは、無線周波数識別センサ（３２０）、コードリーダ（３１６）、光学センサ（３１８）、マイクロフォン、触覚センサ（３１４）、カメラ（３１６，３１８）およびタッチスクリーン（３１４）を含むグループから選択された少なくとも１つのセンサを備える、
請求項４記載の顕微鏡システム（１００）。
【請求項６】
前記１つ以上のセンサは、光学的な目認識手段（３１８）を備える、
請求項４または５記載の顕微鏡システム（１００）。
【請求項７】
前記光学的な目認識手段は、前記手術用顕微鏡（１０２）の光学接眼レンズ（１３６）に含まれる、
請求項６記載の顕微鏡システム（１００）。
【請求項８】
前記センサ（１１４〜１２２，３２４〜３３０）は、少なくとも１つの第１のセンサと第２のセンサとを有していて、
前記複数のカスタマイズプロファイルのうちの少なくとも１つは、少なくとも１つの第１の動作設定と第２の動作設定とを含み、
前記プロセッサ（１０４）は、ユーザー入力が前記第１のセンサによって検出されると前記第１の動作設定を選択するように構成されていて、
前記プロセッサ（１０４）は、前記ユーザー入力が前記第２のセンサによって検出されると前記第２の動作設定を選択するように構成されている、
請求項４から７までのいずれか１項記載の顕微鏡システム（１００）。
【請求項９】
前記プロセッサ（１０４）は、機械学習アルゴリズムに基づき、前記複数のカスタマイズプロファイルのうちの少なくとも１つを作成するように構成されている、
請求項１から８までのいずれか１項記載の顕微鏡システム（１００）。
【請求項１０】
前記プロセッサ（１０４）は、異なるユーザー情報に割り当てられた、前記複数のカスタマイズプロファイルのうちの少なくとも２つを、１つの共通のカスタマイズプロファイルとなるように組み合わせるように構成されている、
請求項１から９までのいずれか１項記載の顕微鏡システム（１００）。
【請求項１１】
前記プロセッサ（１０４）は、前記手術用顕微鏡（１０２）の操作中にユーザーの動きを検出し、検出された前記ユーザーの動きに基づき、前記複数のカスタマイズプロファイルのうちの少なくとも１つを修正するように構成されている、
請求項１から１０までのいずれか１項記載の顕微鏡システム（１００）。
【請求項１２】
手術用顕微鏡（１０２）を制御するための方法であって、前記方法は、
少なくとも１つの予め規定された動作設定（１３４）をそれぞれ定義している複数のカスタマイズプロファイルを提供するステップと、
ユーザー識別子を検出するステップと、
検出された前記ユーザー識別子に基づき前記複数のカスタマイズプロファイルのうちの１つを選択するステップと、
選択された前記カスタマイズプロファイルにより定義されている前記少なくとも１つの予め規定された動作設定（１３４）に従って前記手術用顕微鏡（１０２）を操作するステップと、
を有している方法。
【請求項１３】
コンピュータプログラムであって、前記コンピュータプログラムがプロセッサ（１０４）で実行されるときに、請求項１２に記載の方法を実行するためのプログラムコードを有するコンピュータプログラム。
【発明の詳細な説明】
【技術分野】
【０００１】
本発明は、手術用顕微鏡を含む顕微鏡システムおよび手術用顕微鏡を制御するための方法に関する。
【背景技術】
【０００２】
手術用顕微鏡は、外科医のニーズと好みに適合させることができるように、幅広い設定とカスタマイズとを提供する。しかしながら、適切な動作設定を調節するプロセスと、特定のユーザーのニーズに合わせてカスタマイズするプロセスは、本質的に複雑で面倒かつ時間のかかるプロセスのままである。手術用顕微鏡が特定のユーザーに合わせてカスタマイズされた後でも、手術室（ＯＲ）で手術用顕微鏡を使用する際の、カスタマイズプロファイル間の切替および相互作用は、日々の作業においては依然として煩わしいものである。
【発明の概要】
【発明が解決しようとする課題】
【０００３】
したがって、本発明の課題は、手術用顕微鏡を含む改善された顕微鏡システムおよび手術用顕微鏡を制御する方法を提供することである。
【課題を解決するための手段】
【０００４】
上記課題は、独立請求項の主題によって達成される。好適な実施形態は、従属請求項に定義されている。
【０００５】
提案される顕微鏡システムは、手術用顕微鏡と、少なくとも１つの予め規定された動作設定をそれぞれ定義している複数のカスタマイズプロファイルを格納するように構成されたメモリと、ユーザー識別子を検出するように構成されたユーザー識別ユニットと、検出されたユーザー識別子に基づき前述の複数のカスタマイズプロファイルのうちの１つを選択し、選択されたカスタマイズプロファイルにより定義されている少なくとも１つの予め規定された動作設定に従って手術用顕微鏡を動作させるように構成されたプロセッサと、を有している。
【０００６】
この顕微鏡システムは、外科医または外科助手であってよいユーザーが、顕微鏡システムにユーザー識別子を提供するだけで、手術用顕微鏡の予め規定された動作設定を調整できるようにする。したがって、ユーザー識別ユニットによってユーザー識別子を検出することにより、顕微鏡システムのプロセッサに、メモリに格納され、この特定のユーザーのカスタマイズプロファイルに割り当てられた特定のカスタマイズプロファイルを使用させる。選択されたカスタマイズプロファイルは、特定のユーザーのために使用されるべき動作設定を定義している。したがって、ユーザーは、手術用顕微鏡を完全に動作させるために、すなわち、ユーザーのニーズと好みに適合した動作状態にするために、ユーザー識別子を入力する以外のことをする必要はない。
【０００７】
特定のカスタマイズプロファイルによって定義された予め規定された動作設定は、ユーザーの好みに従って手術用顕微鏡を操作するために使用される複数の設定パラメータを含むことができる。これらの設定パラメータは、例えば、フォーカスまたはズームパラメータ等の対象物のイメージングに直接関係するパラメータ、またはイメージングされるべき視野を定義するパラメータを含んでいてよい。設定パラメータは、例えば、キャプチャされた画像の処理に関連するパラメータ、例えば、キャプチャされた画像をモニタに表示する方法を決定するパラメータをさらに含んでいてよい。言うまでもなく、上述したパラメータは、単に例として理解されるべきであり、動作設定は、手術用顕微鏡を操作するために適切な任意のパラメータを含んでいてよい。
【０００８】
好適には、プロセッサは、カスタマイズ情報を含むユーザー入力を促すことによって、複数のカスタマイズプロファイルのうちの少なくとも１つを作成するように構成されている。この実施形態によれば、プロセッサは、ユーザーの好みに従って、特定のカスタマイズプロファイルを作成するように、ユーザーをガイドすることができるセットアップ支援機能を提供する。これは例えば、グラフィカルなユーザーインターフェースを利用する等して、ユーザーに提示することができる質問を尋ねることによって、顕微鏡システムにカスタマイズ情報を入力するようにユーザーに促すことにより達成することができる。
【０００９】
さらに、プロセッサは、一連のクエリを提供するように構成されていてよく、各クエリにより、前述のユーザー入力が促される。このような一連のクエリは、ユーザーに提示される質問または選択肢のリストを含んでいてよく、それぞれの質問または選択肢が対応するユーザー入力を促し、それに応答して特定の設定が選ばれる。質問または選択肢のセットは、それに対してユーザーがどのように応答するかに応じて、ユーザーが、特定の好みを設定するように、または次の質問もしくは選択肢に進むように、プロセッサによって誘導されるような方法で提示することができる。プロセッサとユーザーとの間の例示的な相互作用は、以下のようであってよい： 最初に、ユーザーは、ユーザーが操作すべき特定のボタンが、何のために使用されるのかを知りたいと考える。このために、ユーザーはボタンを押し、するとプロセッサはユーザーに、ボタンの機能について、すなわち使用可能な機能のセットについて情報を提供する。次にユーザーは、ボタンの機能性の中に特定の機能を設定したいと考える。例えばユーザーは、特定のワークフローマクロを、すなわち、例えば蛍光モードに切り替え、３つの画像をキャプチャして保存してから、前のイメージングモードに戻すように切り替えるといった動作のシーケンスをユーザーが記録することができる特定のワークフローマクロを記録したいと考えるかもしれない。
【００１０】
好適には、ユーザー識別ユニットは、ユーザー識別子を検出するように構成された１つ以上のセンサ（以下では、センサ手段またはセンサ装置とも呼ばれる）を備えている。このようなセンサ手段は、一方におけるプロセッサと、他方におけるインターフェース媒体と、の間で、物理的インターフェースを提供し、前述のインターフェース媒体は、手術用顕微鏡が作動する前にユーザーを識別するために、センサ手段によって認識されるように構成された識別手段を備えている。
【００１１】
上述したセンサ手段は、無線周波数識別センサ、コードリーダ、光学センサ、マイクロフォン、触覚センサ、カメラおよびタッチスクリーンを含むグループから選択される少なくとも１つのセンサを有していてよい。このような実施形態では、特定のユーザーを識別する適切なインターフェース媒体は、物理的インターフェースを提供するために使用されるセンサのタイプに依存して選択されてよい。例えば、センサが、無線周波数識別センサによって形成されている場合には、ＲＦＩＤチップをインターフェース媒体として使用することができる。ＲＦＩＤチップは、病院識別子（ＩＤ）、または手術室および／または特定の医療機器の使用のために特別に発行されたＩＤのように、特定のユーザーによって永続的に使用されるカードの形態で実現することができる。または、一回使用限定のＲＦＩＤチップを、通常、同じく一回使用限定の物品であるＯＲ衣服と共にユーザーによって装着することができるブレスレットに取り付けることができる。さらなる選択肢として、ＲＦＩＤチップを衣服内に埋め込むこともできる。このような場合、ユーザーは、この特定のＲＦＩＤチップがこのユーザーの識別子であることを顕微鏡システムに一度通知する必要がある。
【００１２】
これに対して、ＱＲコードを、コードリーダ、例えばカメラと関連して、インターフェース媒体として使用することもできる。インターフェース媒体がＱＲコードによって形成される場合には、ＱＲコードが病院ＩＤに既に印刷されていてもよく、またはシールとしてＩＤに貼り付けられてもよい。ＱＲコードは、手術用顕微鏡のコントロールパネル側のカメラによって認識することができる。選択的に、ＱＲコードは、手術用顕微鏡に接続されたプリンタによって、その場でユーザーの衣服に印刷することもできる。
【００１３】
マイクロフォンが物理的インターフェースとして使用される場合には、ユーザーの音声またはノックパターンを発生させるユーザーの手または指を、特定のユーザーを識別するインターフェース媒体として使用することができる。ユーザーの手または指は、物理的インターフェースが、触覚センサまたはタッチスクリーンによって形成されている場合と同様に利用することができる。
【００１４】
一種のノックパターンを、この特定の目的専用のキーによって使用することもできる。例えば、特定のユーザーを認識するために、手術用顕微鏡のハンドルに配置されたキーまたはボタンを同時に数回クリックすることができる。
【００１５】
ユーザーの病院ＩＤの光学認証が適用される場合には、特定のユーザーを、最新のユーザーリストに載せるために、手術用顕微鏡の調整の極めて初期段階で認証が行われてもよい。例えば、マイクロフォンまたは触覚センサを使用する場合、顕微鏡でユーザーによって行われるノックパターンも同様に検出することができる。例えば、ユーザーが、複数回ノックして、次いで１回ノックをすることがあり、ＩＤが検出されるたびに、それに応じてカスタマイズプロファイルが変更される。
【００１６】
好適な実施形態では、センサ手段は、光学的な目認識手段を有している。このような光学的な目認識手段は、例えばカメラによって形成されていてよい。
【００１７】
例えば、光学的な目認識手段は、手術用顕微鏡の光学接眼レンズに含まれてよい。光学的な目認識手段が接眼レンズに統合されていることにより、ユーザーが見るために手術用顕微鏡の接眼レンズに接近するといつでも、ユーザーの目が認証され、したがってユーザーは識別され、これにより特定のユーザーに関連するカスタマイズプロファイルを即座に選択することができる。したがって、ユーザーは、認証されるために何らかのアクションを起こすことを強いられると感じない。手術用顕微鏡の操作は極めて便利になる。
【００１８】
好適には、センサ手段は、少なくとも１つの第１のセンサと第２のセンサとを有しており、複数のカスタマイズプロファイルのうちの少なくとも１つは、少なくとも１つの第１の動作設定と第２の動作設定とを含む。さらにプロセッサを、ユーザー入力が第１のセンサによって検出された場合には、第１の動作設定が選択され、ユーザー入力が第２のセンサによって検出された場合には、第２の動作設定が選択されるように、構成することができる。このような実施形態では、手術用顕微鏡は、ＲＦＩＤ（非接触）リーダ、カメラおよびマイクロフォンのような、複数のセンサを有していてよい。認証のためにどのセンサを使用するかに応じて、特定のユーザーに関連するカスタマイズプロファイル内における異なる動作設定が選択される。例えば、手術用顕微鏡は、２つのＲＦＩＤリーダを、光学キャリアの両側に有していてよく、カスタマイズプロファイルを、特定のユーザーのために、右側に位置するＲＦＩＤリーダによってユーザーを認識することによって、例えば認識されたユーザーのデフォルト設定である第１の動作設定が選択され得るように、プログラムすることができる。対照的に、ユーザーが左側のＲＦＩＤリーダによって認識された場合、現在の動作設定を、認識されたユーザーに適用することができる、すなわちユーザーが現在の設定を採用する。言うまでもないが、特定の機能またはマクロを実施するために認証アクションの複数のさまざまな組み合わせがプログラムされてよい。
【００１９】
好適な実施形態によれば、プロセッサは、機械学習アルゴリズムに基づき、複数のカスタマイズプロファイルのうちの少なくとも１つを作成するように構成されている。機械学習アルゴリズムは、顕微鏡システムが継続使用により連続的に学習し、以前の使用に基づき選択されそうなオプションを顕微鏡システムが提供できるように、プログラムすることができる。例えば、顕微鏡システムは、機械学習アルゴリズムを使用して、特定の複数のユーザーが一緒に作業していることを学習することができる。したがって、一人の特定のユーザーが既に手術用顕微鏡で作業しているときに、別のユーザーのカスタマイズプロファイルを提供することができる。別の例によれば、顕微鏡システムは、特定のユーザーが、典型的な継続時間よりも長く焦点合わせをしようとする場合に、ユーザーは画像をキャプチャし、保存したいとも思っているかもしれないということを学習することができる。これにより、画像をキャプチャし、保存するというオプションを自動的にユーザーに提供することができる。
【００２０】
好適には、プロセッサは、異なるユーザー情報に割り当てられた、複数のカスタマイズプロファイルのうちの少なくとも２つを、１つの共通のカスタマイズプロファイルとなるように組み合わせるように構成されていてよい。このようにして、ユーザーのチームを定義することができ、チームの各ユーザーは、チームの他のユーザーのために作成された全てのカスタマイズプロファイルに依存することが許可されている。この実施形態は好適には、機械学習アルゴリズムに組み合わせられてもよく、これに基づき、ユーザーのチームを編成することができる。
【００２１】
好適には、プロセッサは、手術用顕微鏡の操作中にユーザーの動きを検出し、検出されたユーザーの動きに基づき、複数のカスタマイズプロファイルのうちの少なくとも１つを修正するように構成されていてよい。このような実施形態も好適には、機械学習アルゴリズムに組み合わせられてもよい。
【００２２】
別の態様によれば、手術用顕微鏡を制御するための方法および相応のコンピュータプログラムが提供され、この方法は、以下のステップ、すなわち、少なくとも１つの予め規定された動作設定をそれぞれ定義している複数のカスタマイズプロファイルを提供するステップ；ユーザー識別子を検出するステップ；検出されたユーザー識別子に基づき前述の複数のカスタマイズプロファイルのうちの１つを選択するステップ；および選択されたカスタマイズプロファイルにより定義されている少なくとも１つの予め規定された動作設定に従って手術用顕微鏡を操作するステップ、を有している。
【００２３】
以下に、特定の実施形態を図面につき説明する。
【図面の簡単な説明】
【００２４】
【図１】１つの実施形態による顕微鏡システムを示す図である。
【図２】変化実施形態による顕微鏡システムを示す図である。
【図３】ユーザー識別ユニットの特定の実施形態を含む図１の顕微鏡システムを示す図である。
【発明を実施するための形態】
【００２５】
図１は、１つの実施形態による顕微鏡システム１００を示す概略図である。顕微鏡システム１００は、通常、手術室で、脳、目、または脊髄の手術のような手術を患者に実施するために、外科医および／またはアシスタントによって操作される手術用顕微鏡１０２を含む。顕微鏡システム１００はさらに、制御ユニット１０８の部分であってよいプロセッサ１０４とメモリ１０６とを備えている。制御ユニット１０８は、コンピュータデバイスによって形成されていてよい。
【００２６】
プロセッサ１０４とメモリ１０６とを備える制御ユニット１０８は、ユーザー識別ユニット１１０に連結されていて、このユーザー識別ユニットは、図１に符号１１２で示されたユーザー（例えば外科医または看護師）を認証するユーザー識別子を検出するように構成されている。ユーザー識別ユニット１１０は、例えば複数のセンサ１１４，１１６，１１８，１２０，１２２の形態のセンサ手段を含んでいる。ユーザー識別ユニット１１０はさらに、例えば複数のインターフェース媒体１２４，１２６，１２８，１３０，１３２の形態の識別手段を含んでいる。本実施形態によると、複数のセンサ１１４〜１２２のそれぞれは、図１に矢印Ｐで示したように、インターフェース媒体１２４〜１３２の１つと相互作用するように構成されている。詳細に後述するように、各インターフェース媒体１２４〜１３２は、手術用顕微鏡１０２が作動する前にユーザーを識別するために、関連するセンサ１１４〜１２２によって認識されるように構成された識別手段を備えている。一般的には、複数のセンサ１１４〜１２２によって形成されるセンサ手段は、一方における制御ユニット１０８と、他方における関連するインターフェース媒体１２４〜１３２と、の間で、物理的インターフェースを提供する。
【００２７】
メモリ１０６は、複数のカスタマイズプロファイルを格納するように構成されている。メモリ１０６に格納された各カスタマイズプロファイルは、少なくとも１つの予め規定された動作設定を定義しており、ユーザー１１２がユーザー識別ユニット１１０によって識別されてから、手術用顕微鏡１０２が動作させられると、この動作設定に従って手術用顕微鏡１０２が動作する。例示目的のためだけに、さまざまな動作設定が、図１に参照符号１３４で示されている。
【００２８】
プロセッサ１０４は、インターフェース媒体１２４〜１３２のうちの１つによって提供され、関連するセンサ１１４〜１２２によって検出されるユーザー識別子に基づいて、複数のカスタマイズプロファイルのうちの１つを選択するように構成される。プロセッサ１０４は、メモリ１０６に格納された複数のカスタマイズプロファイルのうち、ユーザー識別子によって認識された特定のユーザーに属する１つのプロファイルを選択する。このカスタマイズプロファイルの選択によって、ユーザーは、選択されたカスタマイズプロファイルによって定義される動作設定に従って、手術用顕微鏡１０２を操作することができる。
【００２９】
図２には、図１に示した実施形態の変化実施形態が示されている。図１の実施形態によれば、プロセッサ１０４とメモリ１０６とを含む制御ユニット１０８は、手術用顕微鏡から物理的に分離された構成要素によって形成されているが、図２の変化実施形態の構成は、手術用顕微鏡１０２に統合された制御ユニット２０８を含む。この場合も、制御ユニット２０８は、プロセッサ１０４とメモリ１０６とを含む。前述の変更点以外は、図１および図２に示した構造は同一である。
【００３０】
図３には、図１の実施形態に基づく例示的構造が示されている。この例示的構造は、ユーザーを識別するためのセンサ手段を形成するために、どのタイプのセンサと関連するインターフェース媒体とを使用することができるかを示している。したがって、ユーザー識別ユニット１１０のセンサ手段は、ユーザーの手または指３２４（図１のインターフェース媒体１２４に対応）と相互作用するタッチスクリーン３１４（図１のセンサ１１４に対応）を有していてよい。さらに、センサ手段は、ＱＲコード３２６（図１のインターフェース媒体１２６に対応）と相互作用する第１のカメラ３１６（図１のセンサ１１６に対応）を有していてよい。センサ手段はさらに、ユーザーの目３２８（図１のインターフェース媒体１２８に対応）と相互作用する第２のカメラ３１８（図１のセンサ１１８に対応）を有していてよい。センサ手段はさらに、ＲＦＩＤ（非接触）チップ３３０（図１のインターフェース媒体１３０に対応）と相互作用するＲＦＩＤ（非接触）リーダ３２０（図１のセンサ１２０に対応）を有していてよい。
【００３１】
言うまでもないが、センサ３１４〜３２０は単なる例であり、それに基づき特定のユーザーを認識できるユーザー識別子を検出するのに適しているならば、任意のその他の形式のセンサおよびインターフェース媒体を使用することができる。さらに言うまでもなく、図３に示した構造は、図２の実施形態に基づいていてもよい。
【００３２】
さらに、図１〜図３によるセンサ１１４〜１２２および３１４〜３２０はそれぞれ、手術用顕微鏡１０２から物理的に分離されたものとして示されている。しかしながら、この図は、単に図式を簡略化するためにのみ用いられるものである。言うまでもなく、センサ１１４〜１２２および３１４〜３２０は、手術用顕微鏡１０２に統合されていてもよい。例えば、ユーザーの目３２８を認識するカメラ３１８は、手術用顕微鏡の接眼レンズ１３６に組み込まれてもよい。
【００３３】
さらに、図１〜図３に示したセンサ手段は、複数のセンサ１１４〜１２２および３１４〜３２０と、関連するインターフェース媒体１２４〜１３２、３２４〜３３０と、を有している。しかしながら、前述の構成要素の２つ以上を提供することにはいくつかの利点があるかもしれないが、１つの単一のセンサならびにそれに関連する１つの単一のインターフェース媒体を使用することも可能である。例えば、センサ手段が、少なくとも第１のセンサと第２のセンサとを有しており、これらのセンサの両方がＲＦＩＤチップによって形成されていると仮定すると、ユーザー入力が第１のセンサによって検出された場合には、第１の動作設定が選択され、ユーザー入力が第２のセンサによって検出された場合には、第２の動作設定が選択されるように、プロセッサ１０４を構成することができる。第１および第２の動作設定は、特定のユーザーに属する単一のカスタマイズプロファイルを含んでいてよい。したがって、２つのＲＦＩＤリーダのうちの一方を選択することにより、ユーザーは、この選択されたＲＦＩＤリーダに関連する、対応する動作設定を選択することができる。
【００３４】
上記説明したように、プロセッサ１０４は、ユーザー１１２の識別子に基づくカスタマイズプロファイルを選択し、選択されたカスタマイズプロファイルによって定義される動作設定に従って手術用顕微鏡１０２を操作するために用いられる。しかしながら、プロセッサ１０４は、上述した機能に限定されるものではない。例えば、プロセッサ１０４はさらに、ユーザーの好みに従って、メモリ１０６内に格納可能な特定のカスタマイズプロファイルを作成するプロセスにおいて、ユーザー１１２をガイドするセットアップ支援機能を提供するように構成されていてよい。このために、プロセッサ１０４は、カスタマイズ情報を入力するようにユーザー１１２を促すように構成されていてよい。例えば、プロセッサ１０４は、ユーザー１１２が所望のプロファイルを作成するために回答することができる質問または選択肢をディスプレイ装置（図示せず）に表示させることができる。プロセッサ１０４は例えば、一連のクエリを提供することができ、各クエリによりユーザー入力が促され、このユーザー入力に基づいてカスタマイズプロファイルを作成することができる。
【００３５】
プロセッサ１０４はさらに、機械学習アルゴリズムを適用するように構成されていてよい。このような機械学習アルゴリズムを使用して、プロセッサ１０４は、メモリ１０６内に格納されるカスタマイズプロファイルを作成することができる。プロセッサ１０４は、異なるユーザー情報に、すなわち異なるユーザーに割り当てられた少なくとも２つのカスタマイズプロファイルを、メモリ１０６内に格納される１つの共通のカスタマイズプロファイルとなるように組み合わせるように構成されてもよい。このような構成は、複数のユーザーから成る１つのチームが、手術用顕微鏡１０２で作業するような場合に利点を有し、チームの各ユーザーは、他のユーザーのプロファイルも使用する可能性を持つことになる。
【００３６】
さらに、プロセッサ１０４は、手術用顕微鏡１０２の操作中にユーザーの動きを検出するように構成されていてよく、これにより検出されたユーザーの動きに基づきこのユーザーに属するカスタマイズプロファイルを修正することができる。このような構成のためにも、プロセッサ１０４は、機械学習アルゴリズムを有効に利用することができる。
【００３７】
いくつかの態様を装置の文脈において説明してきたが、これらの態様が、対応する方法の説明も表していることが明らかであり、ここではブロックまたは装置がステップまたはステップの特徴に対応している。同様に、ステップの文脈において説明された態様は、対応する装置の対応するブロックまたは項目または特徴の説明も表している。ステップの一部または全部は、例えば、プロセッサ、マイクロプロセッサ、プログラマブルコンピュータまたは電子回路等のハードウェア装置（またはハードウェア装置を使用すること）によって実行されてもよい。いくつかの実施形態では、極めて重要なステップのいずれか１つまたは複数が、そのような装置によって実行されてもよい。
【００３８】
一定の実装要件に応じて、本発明の実施形態は、ハードウェアまたはソフトウェアで実装され得る。この実装は、非一過性の記録媒体によって実行可能であり、非一過性の記録媒体は、各方法を実施するために、プログラマブルコンピュータシステムと協働する（または協働することが可能である）、電子的に読取可能な制御信号が格納されている、デジタル記録媒体等であり、これは例えば、フロッピーディスク、ＤＶＤ、ブルーレイ、ＣＤ、ＲＯＭ、ＰＲＯＭおよびＥＰＲＯＭ、ＥＥＰＲＯＭまたはＦＬＡＳＨメモリである。したがって、デジタル記録媒体は、コンピュータ読取可能であってもよい。
【００３９】
本発明のいくつかの実施形態は、本明細書に記載のいずれかの方法が実施されるように、プログラマブルコンピュータシステムと協働することができる、電子的に読取可能な制御信号を有するデータ担体を含んでいる。
【００４０】
一般的に、本発明の実施形態は、プログラムコードを備えるコンピュータプログラム製品として実装可能であり、このプログラムコードは、コンピュータプログラム製品がコンピュータ上で実行されるときにいずれかの方法を実施するように作動する。このプログラムコードは、例えば、機械可読担体に格納されていてもよい。
【００４１】
別の実施形態は、機械可読担体に格納されている、本明細書に記載のいずれかの方法を実施するためのコンピュータプログラムを含んでいる。
【００４２】
したがって、換言すれば、本発明の実施形態は、コンピュータプログラムがコンピュータ上で実行されるときに本明細書に記載のいずれかの方法を実施するためのプログラムコードを有するコンピュータプログラムである。
【００４３】
したがって、本発明の別の実施形態は、プロセッサによって実行されるときに本明細書に記載のいずれかの方法を実施するために、格納されているコンピュータプログラムを含んでいる記録媒体（またはデータ担体またはコンピュータ読取可能な媒体）である。データ担体、デジタル記録媒体または被記録媒体は、典型的に、有形である、かつ／または非一過性である。本発明の別の実施形態は、プロセッサと記録媒体を含んでいる、本明細書に記載されたような装置である。
【００４４】
したがって、本発明の別の実施形態は、本明細書に記載のいずれかの方法を実施するためのコンピュータプログラムを表すデータストリームまたは信号シーケンスである。データストリームまたは信号シーケンスは例えば、データ通信接続、例えばインターネットを介して転送されるように構成されていてもよい。
【００４５】
別の実施形態は、処理手段、例えば、本明細書に記載のいずれかの方法を実施するように構成または適合されているコンピュータまたはプログラマブルロジックデバイスを含んでいる。
【００４６】
別の実施形態は、本明細書に記載のいずれかの方法を実施するために、インストールされたコンピュータプログラムを有しているコンピュータを含んでいる。
【００４７】
本発明の別の実施形態は、本明細書に記載のいずれかの方法を実施するためのコンピュータプログラムを（例えば、電子的にまたは光学的に）受信機に転送するように構成されている装置またはシステムを含んでいる。受信機は、例えば、コンピュータ、モバイル機器、記憶装置等であってもよい。装置またはシステムは、例えば、コンピュータプログラムを受信機に転送するために、ファイルサーバを含んでいてもよい。
【００４８】
いくつかの実施形態では、プログラマブルロジックデバイス（例えばフィールド・プログラマブル・ゲート・アレイ）が、本明細書に記載された方法の機能の一部または全部を実行するために使用されてもよい。いくつかの実施形態では、フィールド・プログラマブル・ゲート・アレイは、本明細書に記載のいずれかの方法を実施するためにマイクロプロセッサと協働してもよい。一般的に、有利には、任意のハードウェア装置によって方法が実施される。
【符号の説明】
【００４９】
１００  顕微鏡システム
１０２  手術用顕微鏡
１０４  プロセッサ
１０６  メモリ
１０８  制御ユニット
１１０  ユーザー識別ユニット
１１２  ユーザー
１１４〜１２２  センサ
１２４〜１３２  インターフェース媒体
１３４  動作設定
１３６  光学接眼レンズ
２０８  制御ユニット
３１４  タッチスクリーン
３１６  カメラ
３１８  カメラ
３２０  ＲＦＩＤリーダ
３２４  手／指
３２６  ＱＲコード
３２８  ユーザーの目
３３０  ＲＦＩＤチップ
Ｐ  矢印
【図１】
2020192324.tif 000003
【図２】
2020192324.tif 000004
【図３】
2020192324.tif 000005
【外国語明細書】
2020192324.tif 000006
2020192324.tif 000007
2020192324.tif 000008
2020192324.tif 000009
2020192324.tif 000010
2020192324.tif 000011
2020192324.tif 000012
2020192324.tif 000013
2020192324.tif 000014
2020192324.tif 000015
2020192324.tif 000016
2020192324.tif 000017
2020192324.tif 000018
2020192324.tif 000019
2020192324.tif 000020
2020192324.tif 000021
2020192324.tif 000022
2020192324.tif 000023
2020192324.tif 000024
2020192324.tif 000025
2020192324.tif 000026
2020192324.tif 000027
2020192324.tif 000028
2020192324.tif 000029